【手続補正書】
【提出日】平成16年6月8日(2004.6.8)
【手続補正１】
【補正対象書類名】明細書
【補正対象項目名】特許請求の範囲
【補正方法】変更
【補正の内容】
【特許請求の範囲】
【請求項１】
設定変更可能な複数の動作環境設定項目から構成される環境設定情報に基づいて、動作環境の設定が行われるコンピュータシステムにおいて、
ユーザからの動作環境保存要求に応答して、前記複数の動作環境設定項目の中の一部または全ての動作環境設定項目それぞれに対応する設定情報を前記環境設定情報から取得し、それら取得した設定情報を一括保存する環境保存手段と、
ユーザからの動作環境切り替え要求に応答して、前記環境保存手段に保存されている設定情報を用いて前記環境設定情報の内容を再設定する再設定手段とを具備することを特徴とするコンピュータシステム。
【請求項２】
前記環境保存手段は、前記動作環境保存要求が発行される度に前記設定情報群の一括保存を行うことにより、モード別に複数の環境を保存し、
前記再設定手段は、前記動作環境切り替え要求に応答して、前記環境保存手段によってモード毎に記録されている設定情報群の中から復元対象のモードに関する設定情報を選択し、その選択した設定情報を用いて前記環境設定情報の内容を再設定することを特徴とする請求項１記載のコンピュータシステム。
【請求項３】
前記環境設定情報を構成する複数の動作環境設定項目の中から保存すべき動作環境設定項目の内容をユーザに指示させるためのユーザインターフェイスを提供する手段をさらに具備することを特徴とする請求項１記載のコンピュータシステム。
【請求項４】
前記再設定手段によってどの動作環境設定項目が再設定されるかをユーザに通知するためのユーザインターフェイスを提供する手段をさらに具備することを特徴とする請求項１記載のコンピュータシステム。
【請求項５】
前記再設定手段による前記環境設定情報の設定変更の前後で必要となる操作を判別し、その内容をユーザに通知するためのユーザインターフェイスを提供する手段をさらに具備することを特徴とする請求項１記載のコンピュータシステム。
【請求項６】
設定変更可能な複数の動作環境設定項目から構成される環境設定情報に基づいて、動作環境の設定が行われるコンピュータシステムにおいて、
ユーザから指定された任意の時点で環境設定情報を保存する事により、モード別に複数個の環境設定情報を保存する環境保存手段と、
前記環境保存手段によってモード別に保存されている環境設定情報の中から切り替え対象のモードに関する環境設定情報を選択し、その選択した環境設定情報に基づいて前記コンピュータシステムの動作環境を再設定する再設定手段とを具備することを特徴とするコンピュータシステム。
【請求項７】
設定変更可能な複数の動作環境設定項目から構成される環境設定情報に基づいて動作環境の設定が行われるコンピュータシステムの動作環境切り替え方法であって、
ユーザからの動作環境保存要求に応答して、前記複数の動作環境設定項目の中の一部または全ての動作環境設定項目それぞれに対応する設定情報を前記環境設定情報から取得し、それら取得した設定情報を一括保存するステップと、
ユーザからの動作環境切り替え要求に応答して、保存されている設定情報を用いて前記環境設定情報の内容を再設定するステップとを具備することを特徴とする動作環境切り替え方法。
【請求項８】
設定変更可能な複数の動作環境設定項目から構成される環境設定情報に基づいて動作環境の設定が行われるコンピュータシステムの動作環境切り替え方法であって、
ユーザから指定された任意の時点で環境設定情報を保存する事により、モード別に複数個の環境設定情報を保存するステップと、
モード別に保存されている環境設定情報の中から切り替え対象のモードに関する環境設定情報を選択し、その選択した環境設定情報に基づいて前記コンピュータシステムの動作環境を再設定するステップとを具備することを特徴とする動作環境切り替え方法。
【請求項９】
設定変更可能な複数の動作環境設定項目から構成される環境設定情報に基づいて動作環境の設定が行われるコンピュータシステムに適用されるコンピュータプログラムが記録された記録媒体であって、
前記コンピュータプログラムは、
ユーザからの動作環境保存要求に応答して、前記複数の動作環境設定項目の中の一部または全ての動作環境設定項目それぞれに対応する設定情報を前記環境設定情報から取得し、それら取得した設定情報を一括保存するステップと、
ユーザからの動作環境切り替え要求に応答して、保存されている設定情報を用いて前記環境設定情報の内容を再設定するステップとを具備することを特徴とする記録媒体。
【請求項１０】
設定変更可能な複数の動作環境設定項目から構成される環境設定情報に基づいて動作環境の設定が行われるコンピュータシステムに適用されるコンピュータプログラムが記録された記録媒体であって、
前記コンピュータプログラムは、
ユーザから指定された任意の時点で環境設定情報を保存する事により、モード別に複数個の環境設定情報を保存するステップと、
モード別に保存されている環境設定情報の中から切り替え対象のモードに関する環境設定情報を選択し、その選択した環境設定情報に基づいて前記コンピュータシステムの動作環境を再設定するステップとを具備することを特徴とする記録媒体。
【請求項１１】
コンピュータシステムからネットワーク設定情報を取得する手段と、
前記取得されたネットワーク設定情報をコンピュータシステムのネットワーク環境を設定するための動作実行モードにおいてデータベースに保存する手段と、
前記データベースに保存されたネットワーク設定情報を選択するために動作環境モードを表わすメニューを表示する手段と、
前記コンピュータに表示されたメニューを介して指示されたネットワーク設定情報を選択する手段と、
前記選択されたネットワーク設定情報を前記データベースから読み込む手段と、
前記読み込まれたネットワーク設定情報をコンピュータに設定する手段と
を具備することを特徴とするコンピュータシステム。
【請求項１２】
環境設定情報を動作環境モード毎にデータベースに保存する手段と、
前記データベースに保存された環境設定情報を選択するために各動作環境モードを表わすメニューを表示する手段と、
前記表示されたメニューを介して指示された環境設定情報を選択する手段と、
前記選択された環境設定情報を、コンピュータシステムのレジストリに現在の動作環境モードの環境設定情報を変更するために設定する手段と、
現在の動作環境モードにおける環境設定情報を格納するための前記レジストリから環境設定情報を取得する手段と、
前記取得された環境設定情報が前記データベースに保存された現在の動作環境モードの環境設定情報と一致するかどうかを照合する手段と、
前記照合手段によって照合された結果に従って、前記取得された環境設定情報を現在の動作環境モードとして、前記レジストリに書き直す手段と
を具備することを特徴とするコンピュータシステム。
【請求項１３】
現在の動作環境モードにおける現在のネットワーク設定情報を保存するために、コンピュータシステムのレジストリから現在のネットワーク設定情報を取得する手段と、
前記取得された現在のネットワーク設定情報を前記現在の動作環境モードとしてデータベースに保存する手段と、
前記データベースに保存されたネットワーク設定情報を選択するための動作環境モードを示すメニューを表示する手段と、
前記表示されたメニューを介して指示されたネットワーク設定情報を選択する手段と、
前記選択されたネットワーク設定情報を前記データベースから取得する手段と、
前記取得されたネットワーク設定情報を前記コンピュータシステムのレジストリに設定する手段と
を具備することを特徴とするコンピュータシステム。